(57)【要約】【課題】ＬＥＤが配置された基板同士を電気的に接続する配線による影が、カバーに写り込むことを防止することが可能な照明器具を得る。【解決手段】表面に複数のＬＥＤ２が直線状に配置された複数の基板３と、複数の基板３が長手方向に連結して載置されるフレーム４と、ＬＥＤ２の出射側を覆い、ＬＥＤ２から出射される光を透過させる透光性のカバー５と、カバー５の内部で複数の基板３同士を電気的に接続する配線部６と、配線部６の一対の配線７のそれぞれにおいて複数の基板３間の連結部を跨ぐ部分を基板３の表面より突出しないように基板３の長手方向と直交する方向の基板３の両端部に固定する配線固定部１０とを備えた。【選択図】図２
2014241248.tif 000002
【特許請求の範囲】
【請求項１】
表面に複数のＬＥＤが直線状に配置された複数の基板と、
前記複数の基板が長手方向に連結して載置されるフレームと、
前記ＬＥＤの出射側を覆い、前記ＬＥＤから出射される光を透過させる透光性のカバーと、
前記カバーの内部で前記複数の基板同士を電気的に接続する配線部と、
前記配線部の一対の配線のそれぞれにおいて前記複数の基板間の連結部を跨ぐ部分を前記基板の前記表面より突出しないように前記基板の長手方向と直交する方向の前記基板の両端部に固定する配線固定部とを備えた
ことを特徴とする照明器具。
【請求項２】
前記カバーは、前記ＬＥＤと対向する発光面部と、前記発光面部の両端から互いに向かい合う方向に突出する一対の側面部とを有しており、前記発光面部と前記側面部とが連なる角部の前記ＬＥＤの光軸方向の高さ位置が、前記カバー内の構成部分による影が映る可能性のある領域より前記発光面部側に設定されている
ことを特徴とする請求項１記載の照明器具。
【請求項３】
前記フレームは、前記基板を載置する台座と、前記基板の長手方向と直交する方向の前記基板の両端面と離間して対向する一対の壁面とを備えており、
前記配線固定部は、断面コ字状の固定具の両側片のそれぞれが、前記基板の両端面と前記フレームの前記一対の壁面との間の隙間に押し込まれ、前記両側片と前記一対の壁面との間で前記一対の配線を挟持固定する
ことを特徴とする請求項１又は請求項２記載の照明器具。
【請求項４】
前記固定具は、前記両側片のそれぞれの先端に係止部を備えており、前記係止部を前記フレームの前記台座に係止することで前記フレームに係止固定されている
ことを特徴とする請求項３記載の照明器具。
【請求項５】
前記フレームの前記一対の壁面において前記ＬＥＤの出射方向側の端部には、前記ＬＥＤ側に延びる突出片が形成されており、前記突出片によって前記配線部の前記一対の配線のそれぞれの中央部が前記カバー側から見て覆われている
ことを特徴とする請求項３又は請求項４記載の照明器具。
【発明の詳細な説明】
【技術分野】
【０００１】
本発明は照明器具に関する。
【背景技術】
【０００２】
従来より、ＬＥＤパッケージを直線状に配置した基板を長手方向に複数連結した照明器具がある。基板同士を連結する際には、電源を供給するために配線で繋ぐことが多いが、連結した配線がＬＥＤからの光を遮ったり、カバーに影になって写りこんでしまったりし、外観を損なう場合があった。
【０００３】
そこで、基板同士の接続部に電源ホルダを設け、配線を基板のＬＥＤ配置面である表面上の両端位置に保持するようにした技術がある（例えば、特許文献１参照）。
【先行技術文献】
【特許文献】
【０００４】
【特許文献１】特開２０１２−６４３９１号公報（要約）
【発明の概要】
【発明が解決しようとする課題】
【０００５】
特許文献１では、ＬＥＤが配置されている基板表面上に配線が保持されているため、影を無くす対策としては不十分であり、更なる改善が求められている。
【０００６】
本発明は、上記を鑑みなされたものであり、ＬＥＤが配置された基板同士を電気的に接続する配線による影が、カバーに写り込むことを防止することが可能な照明器具を得ることを目的とする。
【課題を解決するための手段】
【０００７】
本発明に係る照明器具は、表面に複数のＬＥＤが直線状に配置された複数の基板と、複数の基板が長手方向に連結して載置されるフレームと、ＬＥＤの出射側を覆い、ＬＥＤから出射される光を透過させる透光性のカバーと、カバーの内部で複数の基板同士を電気的に接続する配線部と、配線部の一対の配線のそれぞれにおいて複数の基板間の連結部を跨ぐ部分を基板の表面より突出しないように基板の長手方向と直交する方向の基板の両端部に固定する配線固定部とを備えたものである。
【発明の効果】
【０００８】
本発明によれば、基板同士を電気的に接続する配線による影が、カバーに写り込むことを防止することができる。
【図面の簡単な説明】
【０００９】
【図１】本発明の実施の形態１に係る照明器具においてカバーを一部削除した状態の正面図である。
【図２】図１においてカバーがある状態のＡ−Ａ断面図である。
【図３】図１の基板同士の電気的な接続部分の構造を説明するための要部拡大斜視図である。
【図４】図１のカバーの形状の説明図である。
【発明を実施するための形態】
【００１０】
以下、本発明の実施の形態を、図面に基づいて説明する。なお、以下に示す図面の形態によって本発明が限定されるものではない。また、各図において同一の構成には同一の符号を付している。
【００１１】
実施の形態１．
図１は、本発明の実施の形態１に係る照明器具においてカバーを一部削除した状態の正面図である。図２は、図１においてカバーがある状態のＡ−Ａ断面図である。
【００１２】
照明器具１は、例えば天井面等に取り付けて使用される。照明器具１は、細長い形状の基板３を有しており、この基板３の表面（図２の下面）上に複数のＬＥＤ２が長手方向に直線状に実装されており、直線状の光を発する。
【００１３】
照明器具１は、器具本体を構成するフレーム４を有し、このフレーム４の長板状の台座４ａに複数の基板３が長手方向に連結して載置され、接着又はネジによって固定されている。フレーム４はアルミなどの金属でできており、ＬＥＤ２の発熱を放熱する機能を持っている。フレーム４には、ＬＥＤ２の出射側を覆うカバー５が取り付けられている。
【００１４】
カバー５は、ＬＥＤ２と対向する円弧状の発光面部５ａと、発光面部５ａの両端から互いに向かい合う方向に突出する一対の側面部５ｂとを備えており、一対の側面部５ｂの先端部でフレーム４に係止固定されている。カバー５を構成する板状部材は透光性を有する樹脂などでできており、ＬＥＤ２から出た光を拡散させる効果がある。また、カバー５は光を拡散させることにより、ＬＥＤ２個々の光を分散し、面発光のように見せる効果を有する。
【００１５】
基板３の裏面（図２の上面）には、回路（図示省略）が設けられており、隣接する基板３同士は後述の配線部６で電気的に接続されて電源からの電力供給を受ける。
【００１６】
以下、配線部６の配線７が影となってカバー５に写りこんでしまうことを防止するための構造について図２及び次の図３を用いて説明する。
【００１７】
図３は、図１の基板同士の電気的な接続部分の構造を説明するための要部拡大斜視図である。
配線部６は、基板３同士を電気的に接続する一対の配線７と、一対の配線７のそれぞれの両端に取り付けられ、各基板３の表面に設けられた複数のコネクタ８とを備えている。この複数のコネクタ８は、基板３裏面の回路（図示省略）に接続されている。
【００１８】
一対の配線７のそれぞれにおいて基板３間の連結部を跨ぐ部分、ここでは一対の配線７のそれぞれの中央部は、基板３の表面より下方に突出しないように、後述の配線固定部１０により基板３の長手方向と直交する方向の基板３の両端部に固定されている。以下、配線固定部１０の詳細について説明する。
【００１９】
フレーム４は、基板３の長手方向と直交する方向の基板３の両端面３ａと離間して対向する一対の壁面４ｂ（図２参照）を備えており、一対の壁面４ｂと基板３の両端面３ａとの間に隙間Ｓが形成されている。そして、配線固定部１０は、断面コ字状の固定具９を有しており、固定具９の両側片９ａのそれぞれが隙間Ｓに押し込まれ、両側片９ａの外面と一対の壁面４ｂとの間で一対の配線７を挟持することで一対の配線７を固定している。なお、固定具９は、両側片９ａの先端の係止部９ｂがフレーム４の台座４ａに係止されることでフレーム４に固定されている。このように配線固定部１０を用いることにより、一対の配線７は、基板３の表面よりカバー５の発光面部５ａ側に突出しない状態で固定されるため、影になることを防止することができる。
【００２０】
また、一対の壁面４ｂの発光面部５ａ側の端部（ＬＥＤ２の出射方向側の端部）には、内側（ＬＥＤ側）に延びる突出片４ｃが形成されており、突出片４ｃによって一対の配線７の中央部がカバー５側から見て覆われている。このため、配線７の中央部が仮に下方に撓んできたとしても、突出片４ｃで支持することができ、配線７が影になることを防止できる。
【００２１】
図４は、図１のカバーの形状の説明図である。
カバー５は、上述したように発光面部５ａと一対の側面部５ｂとを有しており、側面部５ｂ部分、つまりカバー５の範囲ａは、天井面に取り付けられた照明器具１を下から見上げたときに見え難い部分である。このため、仮に影ができたとしても、この範囲ａ内に影が収まるように、側面部５ｂの位置、言い換えれば発光面部５ａと側面部５ｂとが連なる角部５ｃの位置を設定する。具体的には、カバー５内の構成部分による影が映る可能性のある領域より発光面部５ａ側に、角部５ｃの光軸Ｏ方向の高さ位置が設定されている。
【００２２】
本実施の形態１では、カバー５内の構成部分のうち、ＬＥＤ２よりも発光面部５ａ側の高さ位置に位置するフレーム４の突出片４ｃ部分により生じる影が、光軸Ｏ方向において最も下端部まで生じる影である。このため、フレーム４の突出片４ｃ部分により生じる影の下端部よりも下側に角部５ｃの位置を設定している。角部５ｃの位置をこの位置に設定することで、カバー５内の構成部分により影ができたとしても、使用者からは見え難い範囲ａ内に収まるため、美観を損ねることを防止できる。
【００２３】
以上説明したように、本実施の形態１によれば、基板３同士を電気的に接続する配線部６の一対の配線７のそれぞれにおいて基板３同士の連結部を跨ぐ部分を基板３の表面より突出しないように基板３の両端部に固定するようにしたので、一対の配線７がＬＥＤ２の光を遮断したり、影となったりして見栄えが悪くなることを防止することができる。
【００２４】
また、ＬＥＤ２よりも発光面部５ａ側の高さ位置に位置するフレーム部分（具体的には突出片４ｃの下端部）による影が映る可能性のある領域より発光面部５ａ側に、カバー５において発光面部５ａと側面部５ｂとが連なる角部５ｃの光軸Ｏ方向の高さ位置を設定したので、フレーム４及びコネクタ８が影となって見栄えが悪くなることを防止することができる。
【００２５】
また、一対の配線７の中央部を固定するにあたり、固定具９の両側片９ａを隙間Ｓに押し込むだけでよいため、容易に一対の配線７の中央部を固定することができる。また、固定具９の両側片９ａの係止部９ｂをフレーム４の台座４ａに係止することで固定具９を簡単にフレーム４に係止固定することができる。
【００２６】
また、一対の壁面４ｂの発光面部５ａ側の端部に設けた突出片４ｃによって一対の配線７の中央部がカバー５側から見て覆うようにしたので、配線７の中央部が仮に下方に撓んできたとしても、突出片４ｃで支持することができ、配線７が影になることを防止できる。
【符号の説明】
【００２７】
１  照明器具、２  ＬＥＤ、３  基板、３ａ  両端面、４  フレーム、４ａ  台座、４ｂ  壁面、４ｃ  突出片、５  カバー、５ａ  カバーの発光面部、５ｂ  カバーの側面部、５ｃ  角部、６  配線部、７  配線、８  コネクタ、９  固定具、９ａ  両側片、９ｂ  係止部、１０  配線固定部、Ｏ  光軸、Ｓ  隙間、ａ  範囲。
【図１】
2014241248.tif 000003
【図２】
2014241248.tif 000004
【図３】
2014241248.tif 000005
【図４】
2014241248.tif 000006